(57)【要約】      （修正有）【課題】元素と元素の結合はどのようになっているか。【解決手段】元素と元素の結合は外側の磁気の光子によって行われていると考える。磁気の光子が自分の元素の電子のラブと、他の元素の電子のラブを共にクロス回転し、結合させていると考える。【選択図】  図２
2005020999.tif 000002
【特許請求の範囲】
【請求項１】
元素と元素の結合は最外殻を回転している電子にかかわっている。
元素の電子の構造は電子のラブが最外殻の軌道を公転している。
そして、電子のラブの公転軌道を、磁気の光子がクロス回転している。
電子のラブは地球の自転と同じ方向に公転している。
磁気の光子は、電子のラブの公転に、上から入り込み、下から抜け出るクロス回転をしている。
Ａ元素とＢ元素が結合する場合。
Ａ元素の外側の磁気の光子は、Ａ元素の最外殻の電子のラブの公転に上から入り込み、下から抜け出し、更に、Ｂ元素の最外殻の電子のラブの公転に下から入り込み、上に抜け出る。そして、Ａ元素の最外殻の電子のラブの公転に上から入り込み、下から抜け出る。
このように、Ａ元素の外側の磁気の光子は、Ａ元素の最外殻の電子のラブの公転と、Ｂ元素の最外殻の電子のラブの公転をクロス回転するので、しっかり結合する。
Ｂ元素も同様である。
Ｂ元素の外側の磁気の光子は、Ｂ元素の最外殻の電子のラブの公転に上から入り込み、下から抜け出し、更に、Ａ元素の最外殻の電子のラブの公転に下から入り込み、上に抜け出る。そして、Ｂ元素の最外殻の電子のラブの公転に上から入り込み、下に抜け出る。
このように、Ｂ元素の外側の磁気の光子は、Ｂ元素の最外殻の電子のラブの公転とＡ元素の最外殻の電子のラブの公転を共にクロス回転する。
このように、自分の電子のラブの公転と、他の元素の電子のラブの公転を共にクロス回転することを‘ダブルクロス回転’と名づける。
ダブルクロス回転によって、Ａ元素とＢ元素はしっかり結合する。
Ａ元素の磁気の光子の回転方向とＢ元素の磁気の光子の回転方向は逆になり、スピンは０である。
イオン結合も共有結合もこの原理に基づく。
【発明の詳細な説明】
【技術分野】
【０００１】  この発明は元素と元素がどのように結合しているかに関する。
【背景技術】
【０００２】  従来、元素と元素が結合するのは、イオン結合、共有結合等がある。
【本発明が解決しようとする課題】
【０００３】  元素と元素はどのような原理で結合しているのか明らかにされていない。
その原理を追求する。
【課題を解決するための手段】
【０００４】  本発明者の考えである、原子の構造に基づき追求する。
磁気の光子は電子のラブの回転をクロス回転している。この事により、電子のスピンは１／２である。
Ａ元素とＢ元素の結合は、外側の磁気の光子がＡ元素とＢ元素の電子のラブを共にクロス回転することである。
【発明の実施態様】
【０００５】元素と元素の結合は最外殻を回転している電子にかかわっている。図１．
元素の電子の構造は電子のラブが最外殻の軌道を公転している。
そして、電子のラブの公転軌道を、磁気の光子がクロス回転している。
電子のラブは地球の自転と同じ方向に公転している。
磁気の光子は、電子のラブの公転に、上から入り込み、下から抜け出るクロス回転をしている。
Ａ元素とＢ元素が結合する場合。図２．
Ａ元素の外側の磁気の光子は、Ａ元素の最外殻の電子のラブの公転に上から入り込み、下から抜け出し、更に、Ｂ元素の最外殻の電子のラブの公転に下から入り込み、上に抜け出る。そして、Ａ元素の最外殻の電子のラブの公転に上から入り込み、下から抜け出る。
このように、Ａ元素の外側の磁気の光子は、Ａ元素の最外殻の電子のラブの公転と、Ｂ元素の最外殻の電子のラブの公転をクロス回転するので、しっかり結合する。
Ｂ元素も同様である。
Ｂ元素の外側の磁気の光子は、Ｂ元素の最外殻の電子のラブの公転に上から入り込み、下から抜け出し、更に、Ａ元素の最外殻の電子のラブの公転に下から入り込み、上に抜け出る。そして、Ｂ元素の最外殻の電子のラブの公転に上から入り込み、下に抜け出る。
このように、Ｂ元素の外側の磁気の光子は、Ｂ元素の最外殻の電子のラブの公転とＡ元素の最外殻の電子のラブの公転を共にクロス回転する。
このように、自分の電子のラブの公転と、他の元素の電子のラブの公転を共にクロス回転することを‘ダブルクロス回転’と名づける。
ダブルクロス回転によって、Ａ元素とＢ元素はしっかり結合する。
Ａ元素の磁気の光子の回転方向とＢ元素の磁気の光子の回転方向は逆になり、スピンは０である。
例えば、水の場合。共有結合の場合。図３．
水素の磁気の光子は、自分の電子のラブの公転に上から入り込み下から出て、更に、酸素の最外殻を公転している電子のラブの公転に下から入り込み上から出る。そして更に、自分の電子のラブの公転に上から入る。
酸素の最外殻には６個の電子のラブが公転している。各々の電子のラブの周囲を磁気の光子がクロス回転している。
酸素の１個の磁気の光子は自分の電子のラブの公転に上から入り込み下から出て、水素の電子のラブの公転に下から入り込み上から出る。そして更に、自分の電子のラブの公転に上から入る。
水素の磁気の光子のダブルクロス回転と、酸素の磁気の光子のダブルクロス回転によって水素と酸素は結合している。
水素の磁気の光子の回転方向と酸素の磁気の光子の回転方向は逆である。
それで、磁気の光子の回転は打ち消され、スピンは０になる。
他方の水素と酸素の磁気の光子も同様に行っている。
磁気の光子のダブルクロス回転によって、水素・酸素・水素の結合は離れない。
例えば、ＮａＣｌの場合。イオン結合の場合。図４．
Ｎａの最外殻の電子のラブは１個で、最外殻の軌道を公転している。磁気の光子は自分の電子のラブの公転に上から入り込み、下から出る。更に、Ｃｌの最外殻の電子のラブの公転に下から入り上から出てダブルクロス回転をする。
Ｃｌの最外殻の電子のラブは７個で、そのうちの１個がＮａの最外殻の電子のラブの公転に下から入り込み、上から出て、ダブルクロス回転をする。
２箇所のダブルクロス回転により結合している。
Ｎａの磁気の光子のダブル回転と、Ｃｌの磁気の光子のダブル回転の方向は逆なのでスピンは０である。
このように、イオン結合も磁気の光子のダブルクロス回転によってしっかり結合している。
エチレンの場合。２重結合の場合。図５．
ＨとＣはダブルクロス回転が２箇所で結合している。
ＣとＣはダブルクロス回転が４箇所で結合している。
アセチレンの場合。３重結合の場合。図６．
ＨとＣはダブルクロス回転が２箇所で結合している。
ＣとＣはダブルクロス回転が６箇所で結合している。
図７．に水、ＮａＣｌ、エチレン、アセチレン、アンモニア、メタン、エタノール、ベンゼンの構造を示す。
【発明の効果】
【０００６】  この発明によって、磁気の光子の存在が明らかにできた。そして、磁気の光子の役割も明らかにできた。どうして化合物はしっかり結合し、分解されないのか。その役割を果たしているのは磁気の光子である。ダブルクロス回転によって、元素と元素を結合している。イオン結合も共有結合も同じメカニズムである事が解明できた。
【図面の簡単な説明】
【図１】  元素の最外殻の電子のラブの公転は地球の自転と同じ方向であり、磁気の光子は電子のラブの公転に上から入り込み、下から出るクロス回転をしている。
【図２】  Ａ元素の最外殻を公転している電子のラブの公転に、磁気の光子は上から入り込み、下から出る。更に、Ｂ元素の最外殻の電子のラブの公転に、下から入り込み、上から出る。そして更に、自分の電子のラブの公転に上から入り込む。これをダブルクロス回転と名づける。
【図３】  水の場合。水素の磁気の光子のダブルクロス回転と、酸素の磁気の光子のダブルクロス回転によって結合している。
【図４】  ＮａＣｌの場合。Ｎａの磁気の光子のダブルクロス回転と、Ｃｌの磁気の光子のダブルクロス回転によって結合している。
【図５】  エチレンの場合。ＣとＣは４個のＣの磁気の光子のダブルクロス回転によって結合している。
【図６】  アセチレンの場合。ＣとＣは６個のＣの磁気の光子のダブルクロス回転によって結合している。
【図７】  アンモニア、メタン、エタノール、ベンゼンの構造を示す。
【符号の説明】
１  最外殻の電子のラブの公転軌道      ２  電子のラブ      ３  外側の磁気の光子
４  Ａ元素      ５  Ａ元素の電子のラブ      ６  Ａ元素の磁気の光子
７  Ｂ元素      ８  Ｂ元素の電子のラブ      ９  Ｂ元素の磁気の光子
１０  水素      １１  酸素      １２  Ｎａ      １３  Ｃｌ      １４  Ｃ
１５  Ｎ
【図１】
2005020999.tif 000003
【図２】
2005020999.tif 000004
【図３】
2005020999.tif 000005
【図４】
2005020999.tif 000006
【図５】
2005020999.tif 000007
【図６】
2005020999.tif 000008
【図７】
2005020999.tif 000009